(57)【要約】【課題】本発明は、使用性に優れた携帯電子機器を提供することを目的とする。【解決手段】携帯電話機１は、筐体２と、筐体２における側面２Ｃに配置され、筐体２の内側に窪む窪み側面１５１を有する窪み部１５０と、窪み部１５０に対応して配置されると共に、側面２Ｃに連続して配置される突出部２００であって、外側面２０２が該突出部２００の端部に連続する側面２Ｃに比べて筐体２の外側に突出して配置されると共に、内側面である内側面２０１が、窪み側面１５１に連続して配置される突出部２００と、窪み部１５０の窪み側面１５１及び突出部２００の内側面２０１により形成され、表面２Ａ側から裏面２Ｂ側に貫通する貫通孔１００と、を有する。【選択図】図１
2013251880.tif 000002
【特許請求の範囲】
【請求項１】
第１面、前記第１面と対となる第２面、及び前記第１面と前記第２面とをつなぐ側面を有する筐体と、
前記筐体における前記側面に配置され、前記筐体の内側に窪む窪み側面を有する窪み部と、
前記窪み部に対応して配置されると共に、前記側面に連続して配置される突出部であって、外側面が該突出部の端部に連続する前記側面に比べて前記筐体の外側に突出して配置されると共に、内側面が前記窪み側面に連続する突出部と、
前記窪み部の前記窪み側面、及び前記突出部の前記内側面により形成され、前記第１面側から前記第２面側に貫通する貫通孔と、を有する
携帯電子機器。
【請求項２】
第１面、前記第１面と対となる第２面、及び前記第１面と前記第２面とをつなぐ側面を有する筐体と、
前記筐体における前記側面に配置され、前記筐体の内側に窪む窪み側面を有する窪み部と、
前記窪み部に対応して配置されると共に、前記側面に連続して配置される突出部であって、外側面が該突出部の端部に連続する前記側面に比べて前記筐体の外側に突出して配置されると共に、内側面が前記窪み側面に連続する突出部と、を備え、
前記窪み部の前記窪み側面、及び前記突出部の前記内側面を内側面とし、前記第１面側から前記第２面側に貫通する貫通孔を有する
携帯電子機器。
【請求項３】
前記筐体は、厚さの薄い略直方体であり、
前記窪み部は、前記筐体における角部に配置され、
前記突出部は、前記筐体における前記角部に配置される
請求項１及び２に記載の携帯電子機器。
【請求項４】
前記突出部は、全部又は一部が弾性部材により構成される
請求項１から３のいずれかに記載の携帯電子機器。
【請求項５】
前記突出部は、前記第１面に垂直な方向である厚さ方向における長さが、前記窪み部の前記厚さ方向における長さよりも短い
請求項１から４のいずれかに記載の携帯電子機器。
【請求項６】
前記筐体は、
前記第１面側の第１ケース部材と、
前記第２面側の第２ケース部材と、
前記第１ケース部材と前記第２ケース部材との間に配置される第３ケース部材と、を有し、
前記窪み部は、前記第１ケース部材、前記第２ケース部材及び前記第３ケース部材にわたって配置され、
前記突出部は、前記第３ケース部材に配置される
請求項１から５のいずれかに記載の携帯電子機器。
【請求項７】
前記貫通孔は、
円筒形状の中空部である
請求項１から６のいずれかに記載の携帯電子機器。
【請求項８】
前記突出部は、ストラップ取付部である
請求項１から７のいずれかに記載の携帯電子機器。
【請求項９】
前記筐体における所定方向の一端側に配置されるバッテリー部材と、を備え、
前記突出部は、前記所定方向において前記一端側と反対の他端側に配置される
請求項８に記載の携帯電子機器。
【請求項１０】
前記第１面又は前記第２面における所定方向の一端側に配置される操作部と、を備え、
前記突出部は、前記所定方向において、前記一端側と反対の他端側に配置される
請求項８又は９に記載の携帯電子機器。
【請求項１１】
前記筐体の所定方向における一端側に配置されるコネクタ部と、を備え、
前記突出部は、前記所定方向において前記一端側と反対の他端側に配置される
請求項８から１０のいずれかに記載の携帯電子機器。
【請求項１２】
前記コネクタ部に端子が接続された状態において、前記貫通孔には、前記端子から延出するコード部材が挿通される
請求項１１に記載の携帯電子機器。
【請求項１３】
前記窪み側面及び／又は前記内側面に露出して配置される電子部品と、を備える
請求項１から１２のいずれかに記載の携帯電子機器。
【発明の詳細な説明】
【技術分野】
【０００１】
本発明は、携帯電話機等の携帯電子機器に関する。
【背景技術】
【０００２】
従来、携帯電子機器としての携帯電話機において、ストラップを取り付け可能なタイプが存在する。
例えば、筐体の側面に形成された凹部と、厚さ方向に沿うように凹部内に取り付けられたピンとを有し、ピンに紐を固定することで、ストラップを取り付け可能な携帯電子機器が提案されている（例えば、特許文献１参照）。
【０００３】
しかし、特許文献１の携帯電話機において、凹部の深さ及びピンの長さには制限があるため、取り付けられるストラップの数には制限があった。
近年、携帯電話機に取り付けるストラップ数が増加している。特許文献１の携帯電話機は、この要望に対応することが難しい場合があった。
【０００４】
また、近年、実装される電子部品の増加に伴い、携帯電話機は、落下時における衝撃を緩和する緩衝機能を有することが求められている。
特に、複数のストラップが取り付けられた携帯電話機は、ユーザーが操作時に落下させてしまうことが多いため、緩衝機能を有することが求められている。
【先行技術文献】
【特許文献】
【０００５】
【特許文献１】特開平８−１１７０１０号公報
【発明の概要】
【発明が解決しようとする課題】
【０００６】
本発明は、使用性に優れた携帯電子機器を提供することを目的とする。
【課題を解決するための手段】
【０００７】
本発明は、第１面、前記第１面と対となる第２面、及び前記第１面と前記第２面とをつなぐ側面を有する筐体と、前記筐体における前記側面に配置され、前記筐体の内側に窪む窪み側面を有する窪み部と、前記窪み部に対応して配置されると共に、前記側面に連続して配置される突出部であって、外側面が該突出部の端部に連続する前記側面に比べて前記筐体の外側に突出して配置されると共に、内側面が前記窪み側面に連続する突出部と、前記窪み部の前記窪み側面、及び前記突出部の前記内側面により形成され、前記第１面側から前記第２面側に貫通する貫通孔と、を有する携帯電子機器に関する。
【０００８】
また、本発明は、第１面、前記第１面と対となる第２面、及び前記第１面と前記第２面とをつなぐ側面を有する筐体と、前記筐体における前記側面に配置され、前記筐体の内側に窪む窪み側面を有する窪み部と、前記窪み部に対応して配置されると共に、前記側面に連続して配置される突出部であって、外側面が該突出部の端部に連続する前記側面に比べて前記筐体の外側に突出して配置されると共に、内側面が前記窪み側面に連続する突出部と、を備え、前記窪み部の前記窪み側面、及び前記突出部の前記内側面を内側面とし、前記第１面側から前記第２面側に貫通する貫通孔を有する携帯電子機器に関する。
【０００９】
また、携帯電子機器において、前記筐体は、厚さの薄い略直方体であり、前記窪み部は、前記筐体における角部に配置され、前記突出部は、前記筐体における前記角部に配置されることが好ましい。
【００１０】
また、携帯電子機器において、前記突出部は、全部又は一部が弾性部材により構成されることが好ましい。
【００１１】
また、携帯電子機器において、前記突出部は、前記第１面に垂直な方向である厚さ方向における長さが、前記窪み部の前記厚さ方向における長さよりも短いことが好ましい。
【００１２】
また、携帯電子機器において、前記筐体は、前記第１面側の第１ケース部材と、前記第２面側の第２ケース部材と、前記第１ケース部材と前記第２ケース部材との間に配置される第３ケース部材と、を有し、前記窪み部は、前記第１ケース部材、前記第２ケース部材及び前記第３ケース部材にわたって配置され、前記突出部は、前記第３ケース部材に配置されることが好ましい。
【００１３】
また、携帯電子機器において、前記突出部は、ストラップ取付部であることが好ましい。
【００１４】
また、携帯電子機器は、前記筐体における所定方向の一端側に配置されるバッテリー部材と、を備え、前記突出部は、前記所定方向において前記一端側と反対の他端側に配置されることが好ましい。
【００１５】
また、携帯電子機器は、前記第１面又は前記第２面における所定方向の一端側に配置される操作部と、を備え、前記突出部は、前記所定方向において、前記一端側と反対の他端側に配置されることが好ましい。
【００１６】
また、携帯電子機器は、前記筐体の所定方向における一端側に配置されるコネクタ部と、を備え、前記突出部は、前記所定方向において前記一端側と反対の他端側に配置されることが好ましい。
【００１７】
また、携帯電子機器において、前記コネクタ部に端子が接続された状態において、前記貫通孔には、前記端子から延出するコード部材が挿通されることが好ましい。
【００１８】
また、携帯電子機器において、前記窪み側面及び／又は前記内側面に露出して配置される電子部品と、を備えることが好ましい。
【発明の効果】
【００１９】
本発明によれば、（ストラップを取り付け可能であると共に、）緩衝機能を有する携帯電子機器を提供することができる。
【図面の簡単な説明】
【００２０】
【図１】図１は、携帯電話機１における斜視図である。
【図２】図２は、携帯電話機１における正面図である。
【図３】図３は、携帯電話機１における裏面図である。
【図４】図４は、携帯電話機１における側面図である。
【図５】図５は、図２における領域Ａを示す図である。
【図６】図６は、図１における領域Ａを示す図である。
【図７Ａ】図７Ａは、携帯電話機１がユーザーに把持され落下する前の状態を示す図である。
【図７Ｂ】図７Ｂは、携帯電話機１が落下を開始した状態を示す図である。
【図７Ｃ】図７Ｃは、携帯電話機１が落下中の状態を示す図である。
【図７Ｄ】図７Ｄは、携帯電話機１が落下して床面に衝突した状態を示す図である。
【発明を実施するための形態】
【００２１】
以下、図面を参照して本発明を実施するための形態を説明する。
図１から図６により、携帯電話機１（携帯電子機器）の構成について説明する。図１は、携帯電話機１における斜視図である。図２は、携帯電話機１における正面図である。図３は、携帯電話機１における裏面図である。図４は、携帯電話機１における側面図である。図５は、図２における領域Ａを示す図である。図６は、図１における領域Ａを示す図である。
【００２２】
図１から図４に示すように、携帯電話機１は、筐体２と、筐体２における角部に配置される突出部２００と、突出部２００に対応して配置される貫通孔１００と、を有する。突出部２００及び貫通孔１００については、後に詳述する。
【００２３】
筐体２は、厚さの薄い略直方体である。筐体２は、第１面としての表面２Ａと、第２面としての裏面２Ｂと、側面２Ｃとを有する。
本実施形態において、表面２Ａは、操作時においてユーザーに対向する面であってユーザーからの押圧操作を受ける面である。表面２Ａは、表側の面であり、裏面２Ｂと対をなす面である。
また、裏面２Ｂは、ユーザーの指及び手の平に対向して配置される面である。裏面２Ｂは、ユーザーの指及び手の平に載置される面である。
また、側面２Ｃは、表面２Ａと裏面２Ｂとをつなぐ側面である。側面２Ｃは、後述する窪み部１５０が配置されると共に、突出部２００が連続して配置される面である。
【００２４】
筐体２における表面２Ａ側には、ハードキー群１１と、タッチスクリーンディスプレイ２１と、音入力部２４と、音出力部２５と、が配置される。言い換えると、筐体２における表面２Ａ側には、ハードキー群１１と、タッチスクリーンディスプレイ２１と、マイク用孔部２４ａと、レシーバ用孔部２５ａと、が配置される。
また、筐体２における側面２Ｃには、インターフェース１７と、サイドキー１６と、スライドキー１９とが配置される。言い換えると、筐体２における側面２Ｃには、ＩＦカバー１７ａと、サイドキー１６と、スライドキー１９とが配置される。
【００２５】
ここで、図１から図４に示すように、携帯電話機１は、第１ケース部材２０Ａと、第２ケース部材２０Ｂと、第３ケース部材２０Ｃとを備える。
【００２６】
第１ケース部材２０Ａは、表面２Ａを有するケース部材である。第１ケース部材２０Ａは、上述の通り、ハードキー群１１を構成するハードキー１１ａから１１ｅのキー部材と、タッチスクリーンディスプレイ２１と、を外部に露出可能に構成される。また、第１ケース部材２０Ａは、音入力部２４を構成するマイク用孔部２４ａと、音出力部２５を構成するレシーバ用孔部２５ａとを有する。
また、第１ケース部材２０Ａは、窪み部１５０の一部を構成する窪み部１５０Ａを有する。
また、第１ケース部材２０Ａは、窪み側面１５１の一部を構成する内側面１５１Ａを有する。
【００２７】
第２ケース部材２０Ｂは、裏面２Ｂを有するケース部材である。第２ケース部材２０Ｂは、後述するバッテリー５０をバッテリー収容部５２に収容させるための開口部５１を有する。第２ケース部材２０Ｂには、開口部５１を閉塞するようにバッテリーカバー２０Ｄが取り付けられる。
また、第２ケース部材２０Ｂは、窪み部１５０の一部を構成する窪み部１５０Ｂを有する。
また、第２ケース部材２０Ｂは、窪み側面１５１の一部を構成する内側面１５１Ｂを有する。
【００２８】
第３ケース部材２０Ｃは、第１ケース部材２０Ａと第２ケース部材２０Ｂとの間に配置される。第３ケース部材２０Ｃは、側面２Ｃを有するケースである。
第３ケース部材２０Ｃには、インターフェース１７と、サイドキー１６と、スライドキー１９とが露出して配置される。言い換えると、第３ケース部材２０Ｃには、ＩＦカバー１７ａと、サイドキー１６と、スライドキー１９とが露出して配置される。
第３ケース部材２０Ｃは、後述する突出部２００を有する。
また、第３ケース部材２０Ｃは、後述する窪み部１５０の一部を構成する窪み部１５０Ｃを有する。
また、第３ケース部材２０Ｃは、窪み側面１５１の一部を構成する内側面１５１Ｃを有する。また、第３ケース部材２０Ｃは、内側面２０１を有する。
【００２９】
図１及び図２に示すように、操作部としてのハードキー群１１は、筐体２における表面２Ａ側に配置される。ハードキー群１１は、筐体２の長手方向ＹにおけるＹ１側の端部側に配置される。ハードキー群１１は、筐体２の短手方向Ｘに沿って略直線状に配置される。
ハードキー群１１は、ハードキー１１ａと、ハードキー１１ｂと、ハードキー１１ｃと、ハードキー１１ｄと、ハードキー１１ｅと、を有する。各ハードキーは、キー部材と、スイッチ部とを有して構成される。
【００３０】
タッチスクリーンディスプレイ２１は、文字及び図形を表示可能に構成される。タッチスクリーンディスプレイ２１は、所定の機能に対応した文字及び図形等を表示可能に構成される。ここで、図形とは、アイコン、アプリケーションごとに設定された画面等を含む概念である。
【００３１】
タッチスクリーンディスプレイ２１は、ディスプレイ２１Ａと、タッチスクリーン２１Ｂとを有する。
ディスプレイ２１Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２１Ａは、文字及び図形等を表示する。
【００３２】
タッチスクリーン２１Ｂは、タッチスクリーンディスプレイ２１に対する指、又はスタイラスペン等の接触を検出する。タッチスクリーン２１Ｂは、複数の指、又はスタイラスペン等がタッチスクリーンディスプレイ２１に接触した位置を検出することができる。
タッチスクリーン２１Ｂの検出方式は、静電容量方式、抵抗膜方式、表面弾性波方式（又は超音波方式）、赤外線方式、電磁誘導方式、及び荷重検出方式等の任意の方式でよい。
【００３３】
サイドキー１６は、所定の機能における動作がアサインされている。サイドキー１６が押下されて選択された場合、所定の機能においてサイドキー１６にアサインされた動作が実行される。本実施形態において、例えば、サイドキー１６には、キーロック機能の実行動作がアサインされる。
【００３４】
スライドキー１９は、側面に沿って筐体２の長手方向Ｙにスライド移動可能に構成される。スライドキー１９には、位置に応じて所定の機能の起動動作、又は、起動中の機能における所定動作がアサインされる。
【００３５】
コネクタ部としてのインターフェース１７は、筐体２の長手方向Ｙにおける一端側であるＹ１側の端部側に配置される。コネクタ部としてのインターフェース１７は、携帯電話機１の長手方向ＹにおけるＹ１側の端部側に配置される。
インターフェース１７は、不使用時には、ＩＦカバー１７ａにより覆われている。
インターフェース１７は、使用時には、例えば、コードの一端に取り付けられた端子が接続される。
【００３６】
音入力部２４は、筐体２における該筐体２の長手方向Ｙにおける一端側に配置される。音入力部２４は、長手方向Ｙにおいて、ハードキー群１１と同じ側の端部であるＹ１側の端部に配置される。音入力部２４は、長手方向Ｙにおいて、ハードキー群１１の外側に配置される。本実施形態において、音入力部２４は、短手方向Ｘの中央部に配置される。
音入力部２４は、表面２Ａに配置されたマイク用孔部２４ａと、筐体２の内部に収容配置される通話用マイク２４ｂとを有する。マイク用孔部２４ａは、通話用マイク２４ｂに対向して配置される。
【００３７】
音出力部２５は、筐体２における該筐体２の長手方向Ｙにおける他端側であるＹ２側に配置される。
音出力部２５は、表面２Ａに配置されたレシーバ用孔部２５ａと、筐体２の内部に配置されるレシーバ２５ｂとを有する。
【００３８】
次いで、携帯電話機１における内部構造について説明する。
筐体２の内部には、通話用マイク２４ｂと、レシーバ２５ｂと、タッチスクリーンディスプレイ２１と、キー構造部（不図示）と、回路基板（不図示）と、アンテナ（不図示）と、バッテリー５０と、が収容配置される。筐体２の内部には、通話用マイク２４ｂと、レシーバ２５ｂと、ディスプレイ２１Ａと、キー構造部（不図示）と、回路基板（不図示）と、アンテナ（不図示）と、バッテリー５０と、が収容配置される。
【００３９】
通話用マイク２４ｂは、筐体２の長手方向Ｙにおけるハードキー群１１側の端部に配置される。通話用マイク２４ｂは、Ｙ１側の端部に配置される。
【００４０】
レシーバ２５ｂは、筐体２の長手方向Ｙにおける通話用マイク２４ｂと反対側のＹ２側の端部側に配置される。レシーバ２５ｂは、筐体２の長手方向Ｙにおけるハードキー群１１側と反対側の端部側に配置される。
【００４１】
ディスプレイ２１Ａは、例えば、液晶パネルと、液晶パネルを駆動する駆動回路と、液晶パネルの背面側から光を照射するバックライト等の光源部とを含んで構成される。
【００４２】
キー構造部は、各ハードキーを構成するキー部材と、キーシートと、各ハードキーを構成するスイッチ部が実装されたキー基板と、を有する。
【００４３】
回路基板は、平板状の基板部と、基板部の表面に実装される電子部品及び各種回路ブロックと、基板部の表面に実装される基準電位パターン層とを有する。
基板部に実装される電子部品は、例えば、アンテナが送受信する信号を処理する信号処理部を含む電子部品等である。また、回路ブロックは、例えば、ＲＦ（Ｒａｄｉｏ  Ｆｒｅｑｕｅｎｃｙ）回路及び電源回路等である。
本実施形態において、回路基板は、長手方向ＹにおけるＹ１側の端部側に偏って配置される。
【００４４】
アンテナは、基台と、基台に上に配置された所定形状のアンテナエレメントとを有して構成される。
アンテナエレメントは、帯状の板金により構成される。アンテナエレメントは、不図示の給電端子を介して回路基板から給電される。これにより、アンテナエレメントは、給電端子を介して回路基板から給電されると共に、回路基板のＲＦモジュール等と接続される。
【００４５】
バッテリー５０は、バッテリー収容部５２に収容配置される。
バッテリー５０は、バッテリー収容部５２に収容配置された状態において、筐体２の長手方向Ｙにおける一端であるＹ１側の端部側に配置される。
バッテリー５０は、他の構成要素に比べて重い構成要素である。このため、本実施形態において、携帯電話機１における重心は、長手方向ＹにおけるＹ１側に偏る。
【００４６】
続けて、携帯電話機１における突出部２００及び貫通孔１００について説明する。
図５及び図６に示すように、携帯電話機１は、筐体２に配置される窪み部１５０と、筐体２の側面２Ｃに連続して配置される突出部２００と、表面２Ａ側から裏面２Ｂ側に貫通する貫通孔１００と、を有する。
【００４７】
窪み部１５０は、筐体２における側面に配置される。具体的には、窪み部１５０は、筐体２における角部（表面２Ａ側からみて右上の角部、図１及び図２参照）に配置される。窪み部１５０は、突出部２００とともに貫通孔１００を形成する。
【００４８】
窪み部１５０は、第１ケース部材２０Ａ、第２ケース部材２０Ｂ及び第３ケース部材２０Ｃにわたって配置される。
窪み部１５０は、第１ケース部材２０Ａの窪み部１５０Ａと、第２ケース部材２０Ｂの窪み部１５０Ｂと、第３ケース部材２０Ｃの窪み部１５０Ｃと、を有する。
【００４９】
窪み部１５０は、表面２Ａに垂直な方向である厚さ方向Ｚにおける長さが、突出部２００の厚さ方向Ｚにおける長さよりも長い。言い換えると、窪み部１５０は、表面２Ａに垂直な方向である厚さ方向Ｚにおける厚さが、突出部２００の厚さ方向Ｚにおける厚さよりも厚い。
【００５０】
窪み部１５０は、筐体２の内側に窪む窪み側面１５１を有する。
窪み側面１５１は、後述する突出部２００の内側面２０１とともに貫通孔１００を形成する。
窪み側面１５１は、第１ケース部材２０Ａの窪み側面１５１Ａと、第２ケース部材２０Ｂの窪み側面１５１Ｂと、第３ケース部材２０Ｃの窪み側面１５１Ｃと、を有する。
【００５１】
突出部２００は、窪み部１５０に対応して配置されると共に、筐体２の側面２Ｃに連続して配置される。突出部２００は、窪み部１５０とともに貫通孔１００を形成する
【００５２】
突出部２００は、筐体２における角部（表面２Ａ側からみて右上の角部、図１及び図２参照）に配置される。突出部２００は、筐体２における角部から突出して配置される。突出部２００における外側面２０２は、該突出部２００の端部に連続する側面２Ｃに比べて、筐体２の外側に突出して配置される。突出部２００は、窪み部１５０の端部同士をつなぐアーチ状である。突出部２００は、一端から他端まで略同じ幅である。
【００５３】
突出部２００は、第３ケース部材２０Ｃに配置される。
突出部２００は、表面２Ａに垂直な方向である厚さ方向Ｚにおける長さが、窪み部１５０の厚さ方向Ｚにおける長さよりも短い。言い換えると、突出部２００は、表面２Ａに垂直な方向である厚さ方向Ｚにおける厚さが、窪み部１５０の厚さ方向Ｚにおける厚さよりも薄い。
【００５４】
突出部２００は、窪み側面１５１に連続する内側面２０１を有する。
内側面２０１は、第３ケース部材２０Ｃに配置される。
内側面２０１は、窪み側面１５１と連続すると共に、筐体２の外側に突出して配置される。
内側面２０１は、窪み部１５０の窪み側面１５１とともに貫通孔１００を形成する。
【００５５】
貫通孔１００は、表面２Ａ側から裏面２Ｂ側に貫通する。貫通孔１００は、筐体２における厚さ方向Ｚにのびる貫通孔である。本実施形態において、貫通孔１００は、円筒形状の中空部である。貫通孔１００は、円筒形状の中空空間を有する。
貫通孔１００は、筐体２における角部（表面２Ａ側からみて右上の角部、図１及び図２参照）に配置される。
【００５６】
貫通孔１００は、窪み部１５０と、突出部２００とにより形成される。具体的には、貫通孔１００は、窪み部１５０の窪み側面１５１と、突出部２００の内側面２０１とにより形成される。詳細には、貫通孔１００は、第１ケース部材２０Ａの内側面１５１Ａ、第２ケース部材２０Ｂの内側面１５１Ｂ及び第３ケース部材２０Ｃの内側面１５１Ｃと、第３ケース部材２０Ｃの内側面２０１と、により形成される。
言い換えると、貫通孔１００は、窪み側面１５１と内側面２０１とを内側面として有する。
貫通孔１００は、略直方体の筐体の外側に追加して形成された場合に比べ、筐体の内側にずれた位置に配置されている。
【００５７】
貫通孔１００は、突出部２００に対応する部分が、筐体２に対応する部分に比べて厚さ方向Ｚにおける長さが短く構成される。貫通孔１００は、突出部２００に対応する部分が、筐体２に対応する部分に比べて厚さ方向Ｚにおける厚さが薄く構成される。
【００５８】
ここで、突出部２００は、緩衝機能部として機能する。
突出部２００は、筐体２の外側に突出しているので、携帯電話機１が落下等した場合に筐体２よりも先に床面又は地面に衝突する。これにより、突出部２００は、筐体２への衝撃を緩和する緩衝機能部として機能する。
【００５９】
本実施形態において、突出部２００は、筐体２における角部から突出して配置されている。これにより、突出部２００は、筐体２から最も突出すると共に、２つの側面から突出している。これにより、突出部２００は、落下時に先に床面又は地面に筐体２よりも先に衝突して、緩衝機能部として好適に機能する。
【００６０】
また、本実施形態において、突出部２００は、アーチ状である。突出部２００における外側面２０２は、曲面状である。
これにより、突出部２００は、床面等との衝突時において一箇所に強い力が加わることを回避すると共に、加えられた衝撃を分散するように構成される。これにより、突出部２００は、緩衝機能部として好適に機能する。
【００６１】
また、本実施形態において、突出部２００における筐体２側には、貫通孔１００が配置されている。
これにより、突出部２００が変形した場合でも、貫通孔１００があるので、変形した突出部２００が筐体２に損傷等を与えることが抑制される。
また、貫通孔１００があるので、突出部２００に強い衝撃が加えられた場合でも、直接的に筐体２に衝撃が伝達されることが抑制される。
突出部２００は、貫通孔１００と共に緩衝機能部として好適に機能する。
【００６２】
また、本実施形態において、貫通孔１００は、円筒状に中空部である。
これにより、突出部２００における内側面２０１も円筒状等の曲面状であるので、突出部２００は、外部からの衝撃によって破損しにくいように構成される。
突出部２００は、緩衝機能部として機能すると共に、衝撃による破損を抑制可能に構成される。
【００６３】
ここで、突出部２００は、全部又は一部が弾性部材により構成されていてもよい。
この場合、突出部２００は、緩衝機能部として、より好適に機能する。
【００６４】
また、突出部２００は、ストラップ取付部として機能する。
突出部２００は、ストラップを取り付け可能に構成される。例えば、ユーザーは、ストラップの紐を貫通孔１００の中空空間に挿入して突出部２００に巻き付けるようにして取り付けることで、ストラップを携帯電話機１に取り付けることができる。
ここで、本実施形態において、突出部２００は、筐体２における角部に配置されるので、緩衝機能の面から好適であると共に、ストラップ取付の面からも好適な位置に配置される。
【００６５】
また、本実施形態において、突出部２００は、側面２Ｃから筐体２の外側に突出して配置されると共に、貫通孔１００は、表面２Ａ側から裏面２Ｂ側に貫通する。
これにより、突出部２００及び貫通孔１００は、それぞれ従来よりも大きく構成される。そして、携帯電話機１は、従来に比べて多くのストラップを取付可能に構成される。突出部２００は、ストラップ取付部として好適に機能する。
【００６６】
また、本実施形態において、貫通孔１００は、上述の通り、表面２Ａ側から裏面２Ｂ側に貫通する。これにより、突出部２００に巻き付けるように取り付けられたストラップの紐は、突出部２００の外周に沿ってスムースに移動可能に構成される。これにより、突出部２００は、取り付けられたストラップを表面２Ａ側から裏面２Ｂ側にスムースに移動させることが可能に構成される。突出部２００は、ストラップ取付部として好適に機能する。
【００６７】
また、本実施形態において、突出部２００は、厚さ方向Ｚにおける長さが、窪み部１５０の厚さ方向Ｚにおける長さよりも短い。突出部２００は、厚さ方向Ｚにおける厚さが、窪み部１５０の厚さ方向Ｚにおける厚さよりも薄い。
これにより、取り付けられたストラップは、突出部２００に自然に誘導される。突出部２００は、取り付けられたストラップの紐の部分を一定の位置に集約させる。突出部２００は、ストラップ取付部として好適に機能する。
【００６８】
また、本実施形態において、貫通孔１００は、円筒形状の中空部である。
これにより、携帯電話機１において、突出部２００におけるストラップの取付部分は、長くなる。更に、携帯電話機１において、ストラップの紐を収容する空間は、広くなる。つまり、携帯電話機１は、突出部２００において取付用の紐が重なり合った状態で取り付けられていても該重なり合った取付用の紐を貫通孔１００に収容可能に構成される。これにより、突出部２００は、より多くのストラップを取付可能に構成される。突出部２００は、ストラップ取付部として、より好適に機能する。
【００６９】
また、突出部２００がアーチ状であるので、取り付けられたストラップの紐等がスムースに移動する。これにより、携帯電話機１は、短手方向Ｘ及び長手方向Ｙを含む平面方向において、取り付けられたストラップがスムースに移動可能に構成される。
また、携帯電話機１は、多くのストラップが取り付けられて紐が重なり合った状態でも、貫通孔１００が円筒状であるため、ストラップが上記平面方向においてスムースに移動可能に構成される。突出部２００は、ストラップ取付部として、より好適に機能する。
【００７０】
ここで、本実施形態において、上述の通り、携帯電話機１は、突出部２００に多くのストラップを取付可能に構成される。そして、突出部２００に多くのストラップが取り付けられた携帯電話機１は、落下時において突出部２００側から床面又は地面に落下やすくなる。
突出部２００は、多くのストラップが取り付けられることで、携帯電話機１が落下した場合に、該突出部２００を先に床面又は地面に衝突させるよう誘導する機能を奏する。
突出部２００は、効果的に緩衝機能を奏するように誘導する誘導機能部として機能する。
【００７１】
ここで、本実施形態において、突出部２００は、長手方向Ｙにおいて、バッテリー５０側の端部であるＹ１側の端部と反対側の端部であるＹ２側の端部側に配置される。これにより、従来であればバッテリー５０側の端部側であるＹ１側から床面又は地面に落下していたが、突出部２００に複数のストラップが取り付けられることで、携帯電話機１が緩衝機能部である突出部２００側であるＹ２側から床面又は地面に落下する場合が増える。突出部２００は、効果的に緩衝機能を奏するように誘導する誘導機能部として機能する。
【００７２】
また、本実施形態において、携帯電話機１は、表面２Ａにおける長手方向Ｙの一端側であるＹ１側に配置される操作部としてのハードキー群１１と、を備える。そして、突出部２００は、長手方向Ｙにおいて、一端側であるＹ１側と反対の他端側であるＹ２側に配置される。
携帯電話機１は、ユーザーに把持される端部側であるＹ１側と反対側の端部側であるＹ２側に突出部２００を有する。これにより、携帯電話機１は、ユーザーが操作している際に手から落下した場合、落下時に下側を向いて先に床面又は地面に衝突する端部側であるＹ２側に突出部２００を有するので、より緩衝機能に優れる。
【００７３】
また、本実施形態によれば、筐体２の長手方向Ｙにおける一端側であるＹ１側に配置されるコネクタ部としてのインターフェース１７と、を備える。そして、突出部２００は、長手方向Ｙにおいて一端側であるＹ１側と反対の他端側であるＹ２側に配置される。
携帯電話機１は、インターフェース１７にコード部材としてのコード付きの端子が挿入されると共に、ユーザーがコードを掴んだ状態で落下した場合、突出部２００側であるＹ２側の端部側から落下する。携帯電話機１は、落下時に下側を向いて先に床面又は地面に衝突する端部側であるＹ２側に突出部２００を有するので、より緩衝機能に優れる。
【００７４】
続けて、図７Ａから図７Ｄにより、床面落下した場合における携帯電話機１の作用について説明する。
図７Ａは、携帯電話機１がユーザーに把持され落下する前の状態を示す図である。図７Ｂは、携帯電話機１が落下を開始した状態を示す図である。図７Ｃは、携帯電話機１が落下中の状態を示す図である。図７Ｄは、携帯電話機１が落下して床面に衝突した状態を示す図である。
【００７５】
まず、図７Ａに示すように、携帯電話機１は、ユーザーに把持される。具体的には、携帯電話機１は、長手方向ＹにおけるＹ１側の端部側をユーザーにより把持される。ここで、携帯電話機１におけるＹ２側の端部側に配置された突出部２００には、複数のストラップが取り付けられている。この状態において、ユーザーは、例えば、携帯電話機１におけるタッチスクリーンディスプレイ２１及びハードキー群１１に対して押圧操作等の入力操作を行う。
また、この状態において、携帯電話機１は、床面又は地面から所定高さの位置に配置されている。
【００７６】
続けて、図７Ｂに示すように、携帯電話機１は、ユーザーのミス等で手から離れて落下を開始する。この場合、突出部２００に複数のストラップが取り付けられているため、携帯電話機１は、突出部２００側が下に向くように回転しながら落下を開始する。
続けて、図７Ｃに示すように、携帯電話機１は、突出部２００が下を向くように更に回転しながら落下を続ける。
【００７７】
そして、図７Ｄに示すように、携帯電話機１は、突出部２００が最初に床面又は地面に接触するようにして床面又は地面に衝突する。
突出部２００が最初に床面又は地面に衝突するので、床面又は地面に衝突したことで生じる衝撃は、突出部２００により緩和され、筐体２に収容される電子部品等に伝わる。
これにより、携帯電話機１は、筐体２を構成するケース部材、及び筐体２内に収容配置された電子部品等の破損を抑制可能に構成される。携帯電話機１は、床面又は地面に落下した場合における緩衝機能に優れている。
【００７８】
本実施形態によれば、緩衝機能を有する携帯電子機器を提供することができる。
本実施形態によれば、ストラップを取り付け可能であると共に、落下時の衝撃を緩衝する緩衝機能を有する携帯電子機器を提供することができる。
【００７９】
また、本実施形態によれば、携帯電子機器としての携帯電話機１は、第１面としての表面２Ａと、表面２Ａと対となる第２面としての裏面２Ｂと、表面２Ａと裏面２Ｂとをつなぐ側面２Ｃと、を有する筐体２と、筐体２における側面２Ｃに配置され、筐体２の内側に窪む窪み側面１５１を有する窪み部１５０と、窪み部１５０に対応して配置されると共に、側面２Ｃに連続して配置される突出部２００であって、外側面２０２が該突出部２００の端部に連続する側面２Ｃに比べて筐体２の外側に突出して配置されると共に、内側面２０１が、窪み側面１５１に連続する突出部２００と、窪み部１５０の窪み側面１５１と、突出部２００の内側面２０１とにより形成され、表面２Ａ側から裏面２Ｂ側に貫通する貫通孔１００と、を有する。
【００８０】
また、本実施形態によれば、携帯電子機器としての携帯電話機１は、第１面としての表面２Ａと、表面２Ａと対となる第２面としての裏面２Ｂと、表面２Ａと裏面２Ｂとをつなぐ側面２Ｃと、を有する筐体２と、筐体２における側面２Ｃに配置され、筐体２の内側に窪む窪み側面１５１を有する窪み部１５０と、窪み部１５０に対応して配置されると共に、側面２Ｃに連続して配置される突出部２００であって、外側面２０２が該突出部２００の端部に連続する側面２Ｃに比べて筐体２の外側に突出して配置されると共に、内側面２０１が、窪み側面１５１に連続する突出部２００と、を備える。そして、携帯電話機１は、窪み部１５０の窪み側面１５１と、突出部２００の内側面２０１とを内側面とし、表面２Ａ側から裏面２Ｂ側に貫通する貫通孔１００と、を有する。
【００８１】
本実施形態において、突出部２００は、筐体２から外側に突出して配置される。これにより、突出部２００は、緩衝機能部として機能する。
また、貫通孔１００は、突出部２００と筐体２との間に配置されるので、突出部２００における緩衝機能をより向上させる。
【００８２】
また、本実施形態において、突出部２００は、ストラップ取付部として機能する。
そして、携帯電話機１において、突出部２００は、筐体２の外側に突出し、貫通孔１００は、表面２Ａ側から裏面２Ｂ側に貫通するので、ストラップ取付部としての突出部２００を大きくすることができると共に、ストラップの取付紐を通す孔部である貫通孔１００を大きくすることができる。これにより、携帯電話機１は、多くのストラップを取り付け可能に構成される。また、携帯電話機１は、キーホルダー等も取付可能である。
【００８３】
また、本実施形態において、貫通孔１００は、表面２Ａ側から裏面２Ｂ側に貫通する。これにより、携帯電話機１は、突出部２００に巻き付けるように取り付けられたストラップの紐が突出部２００の外周に沿ってスムースに移動可能に構成される。これにより、携帯電話機１は、突出部２００に取り付けられたストラップを表面２Ａ側から裏面２Ｂ側にスムースに移動させることが可能に構成される。また、これにより、携帯電話機１は、操作中にストラップが邪魔ならず、ストラップが取り付けられた状態における操作性が向上される。
【００８４】
また、本実施形態において、突出部２００は、効果的に緩衝機能を奏するように誘導する誘導機能部として機能する。
本実施形態において、上述の通り、携帯電話機１は、突出部２００に多くのストラップを取付可能に構成される。そして、突出部２００に多くのストラップが取り付けられた携帯電話機１は、落下時において突出部２００側から床面又は地面に落下やすくなる。
突出部２００は、多くのストラップが取り付けられることで、携帯電話機１が落下した場合に、該突出部２００を先に床面又は地面に衝突させるよう誘導する機能を奏する。
【００８５】
また、本実施形態において、貫通孔１００における内側面の一部は、筐体２の内側に窪む窪み部１５０により形成される。
これにより、携帯電話機１は、小型化されている。携帯電話機１は、省スペース化可能に構成される。
【００８６】
また、本実施形態において、筐体２は、厚さの薄い略直方体である。窪み部１５０は、筐体２における角部に配置される。突出部２００は、筐体２における角部に配置される。突出部２００は、緩衝機能部としても、ストラップ取付部としても好適な位置に配置されている。携帯電話機１は、緩衝機能に優れると共に、ストラップの取り付け性に優れる。
【００８７】
また、本実施形態において、突出部２００は、全部又は一部が弾性部材により構成される。
これにより、突出部２００は、緩衝機能部として好適に機能する。携帯電話機１は、より緩衝機能に優れる。
【００８８】
また、本実施形態において、突出部２００は、厚さ方向Ｚにおける長さが、窪み部１５０の厚さ方向Ｚにおける長さよりも短い。
これにより、取り付けられたストラップは、突出部２００に自然に誘導される。携帯電話機１は、ストラップの紐、又はストラップ自体が筐体２側に近づきすぎることを規制するよう構成される。これにより、携帯電話機１は、取り付けられたストラップの紐部分を一定の位置に集約させる。
【００８９】
また、本実施形態において、筐体２は、表面２Ａ側の第１ケース部材２０Ａと、裏面２Ｂ側の第２ケース部材２０Ｂと、第１ケース部材２０Ａと第２ケース部材２０Ｂとの間に配置される第３ケース部材２０Ｃと、を有する。窪み部１５０は、第１ケース部材２０Ａ、第２ケース部材２０Ｂ及び第３ケース部材２０Ｃにわたって配置される。突出部２００は、第３ケース部材２０Ｃに配置される。
これにより、携帯電話機１は、簡易に、突出部２００における厚さ方向Ｚの長さを、窪み部１５０における厚さ方向Ｚの長さよりも短くすることができる。
また、携帯電話機１は、一体的なケース部材に、窪み部よりも厚さの薄い突出部を形成する場合に比べて、製造上の負担が少なく製造可能に構成される。
また、携帯電話機１は、第３ケース部材２０Ｃのみの設計を変更することで、突出部の大きさ及び形状を簡易に変更可能に構成される。携帯電話機１は、設計上の自由度が高い。
【００９０】
また、本実施形態において、貫通孔１００は、円筒形状の中空部である。
これにより、携帯電話機１において、突出部２００におけるストラップの取付部分は、長くなる。更に、携帯電話機１において、ストラップの紐を収容する空間は、広くなる。つまり、携帯電話機１は、突出部２００において取付用の紐が重なり合った状態で取り付けられていても該重なり合った取付用の紐を貫通孔１００に収容可能に構成される。これにより、携帯電話機１は、より多くのストラップを取付可能に構成される。
【００９１】
また、突出部２００に取り付けられたストラップの紐等がスムースに移動するので、携帯電話機１は、短手方向Ｘ及び長手方向Ｙを含む平面方向において、取り付けられたストラップがスムースに移動可能に構成される。
また、携帯電話機１は、多くのストラップが取り付けられて紐が重なり合った状態でも、貫通孔１００が円筒状であるため、ストラップが上記平面方向においてスムースに移動可能に構成される。
また、貫通孔１００が円筒状であるので、突出部２００における緩衝機能も向上される。
【００９２】
また、本実施形態において、携帯電話機１は、筐体２における長手方向Ｙの一端側であるＹ１側に配置されるバッテリー部材と、を備える。そして、突出部２００は、長手方向Ｙにおいて一端側であるＹ１側と反対の他端側のＹ２側の端部に配置される。
これにより、携帯電話機１は、Ｙ２側の端部側に配置された突出部２００にストラップが取り付けられることで、落下時においてＹ２側の端部に配置される突出部２００から床面又は地面に衝突する可能性が向上するよう構成される。例えば、本実施形態のように、重要な電子部品が実装された回路基板が質量の大きいバッテリーと同じＹ１側の端部側に配置されている場合、携帯電話機１は、Ｙ１側の端部から床面又は地面に落下して重要な電子部品等が故障することを抑制可能に構成される。上述の通り、突出部２００は、多くのストラップを取り付け可能に構成されると共に、多くのストラップが取り付けられた状態で、突出部２００から先に床面又は地面に衝突するよう誘導する誘導機能部として機能する。この場合、床面又は地面に衝突した衝撃が突出部２００により緩和されるので、重要な電子部品等の破損が更に抑制されるので、より好ましい。
【００９３】
また、本実施形態において、携帯電話機１は、表面２Ａにおける長手方向Ｙの一端側であるＹ１側に配置される操作部としてのハードキー群１１と、を備える。そして、突出部２００は、長手方向Ｙにおいて、一端側であるＹ１側と反対の他端側であるＹ２側に配置される。
携帯電話機１は、ユーザーに把持される端部側であるＹ１側と反対側の端部側であるＹ２側に突出部２００を有する。これにより、携帯電話機１は、ユーザーが操作している際に手から落下した場合、落下時に下側を向いて先に床面又は地面に衝突する端部側であるＹ２側に突出部２００を有するので、より緩衝機能に優れる。
【００９４】
また、本実施形態によれば、携帯電話機１は、筐体２の長手方向Ｙにおける一端側であるＹ１側に配置されるコネクタ部としてのインターフェース１７と、を備える。そして、突出部２００は、長手方向Ｙにおいて一端側であるＹ１側と反対の他端側であるＹ２側に配置される。
携帯電話機１は、インターフェース１７にコード部材であるコード付きの端子が挿入されると共に、ユーザーがコードを掴んだ状態で落下した場合、Ｙ２側の端部側である突出部２００側から落下する。携帯電話機１は、落下時に下側を向いて先に床面又は地面に衝突する端部側であるＹ２側に突出部２００を有するので、より緩衝機能に優れる。
【００９５】
また、本実施形態によれば、インターフェース１７に端子が接続された状態において、貫通孔１００には、端子から延出するコードが挿通される。
これにより、携帯電話機１は、インターフェース１７に端子が接続された状態において邪魔になるコードを好適に収容可能に構成される。
【００９６】
以上、好適な実施形態について説明したが、本発明は上述した実施形態に限定されることなく種々の形態で実施することができる。例えば、本実施形態において、携帯電子機器として携帯電話機１について説明しているが、これに限定されず、携帯電子機器は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００９７】
また、本実施形態において、筐体が一つであるストレートタイプの携帯電話機について説明しているが、携帯電子機器は、このような携帯電話機に限定されない。本発明の携帯電子機器として、複数の筐体を有するタイプも含まれる。例えば、携帯電子機器は、２つの筐体が連結部を介して折りたたみ可能に構成された折り畳みタイプであってもよい。また、携帯電子機器は、２つの筐体が重ね合わされた状態から一方の筐体を一方向にスライド移動可能に構成されたスライドタイプであってもよい。また、携帯電子機器は、２つの筐体が重ね合された状態から重ね合わせ方向に沿う軸線を中心に一方の筐体を回転可能に構成された回転（ターン）タイプであってもよい。また、携帯電子機器は、いわゆる２軸ヒンジタイプであってもよい。
【００９８】
また、本実施形態において、ハードキー群１１は表面２Ａ側に配置されているが、これに限定されず、裏面２Ｂ側に配置されていてもよい。
【００９９】
また、本実施形態において、貫通孔１００にはコード部材等が挿通されているが、これに限定されない。例えば、貫通孔１００には、壁から突出する棒部材が挿通されてもよい。この場合、携帯電話機１は、壁掛け可能に構成される。また、貫通孔１００には、所定物を詰めておいてもよい。
【０１００】
また、携帯電話機１は、貫通孔１００の内側面（窪み側面１５１、内側面２０１）に露出して配置される電子部品を有していてもよい。言い換えると、携帯電話機１は、窪み側面１５１及び／又は内側面２０１に露出して配置される電子部品を有していてもよい。露出して配置される電子部品として、例えば、ＬＥＤ等の発光部材、スピーカ、カメラ部（レンズユニット）、レシーバ等を例示できる。
【符号の説明】
【０１０１】
１          携帯電話機
２          筐体
２Ａ        表面（第１面）
２Ｂ        裏面（第２面）
２Ｃ        側面（第３面）
１１        ハードキー群（操作部）
１７        インターフェース（コネクタ部）
２１        タッチスクリーンディスプレイ
５０        バッテリー（バッテリー部材）
１００      貫通孔
１５０      窪み部
１５１      窪み側面
２００      突出部
２０１      内側面
２０１      外側面
Ｘ          短手方向
Ｙ          長手方向
Ｚ          厚さ方向
【図１】
2013251880.tif 000003
【図２】
2013251880.tif 000004
【図３】
2013251880.tif 000005
【図４】
2013251880.tif 000006
【図５】
2013251880.tif 000007
【図６】
2013251880.tif 000008
【図７Ａ】
2013251880.tif 000009
【図７Ｂ】
2013251880.tif 000010
【図７Ｃ】
2013251880.tif 000011
【図７Ｄ】
2013251880.tif 000012